(57)【特許請求の範囲】
【請求項１】
電子番組表を表示する表示手段と、前記表示手段により表示された電子番組表上で所望の番組を指定する番組指定手段と、前記番組指定手段により指定された番組の終了時刻を、オフタイマ設定時刻として登録するオフタイマ設定手段とを備え、該オフタイマ設定時刻の登録時における電源オン状態を、前記オフタイマ設定時刻まで保持し、前記オフタイマ設定時刻に達した時点で当該受信機の電源をオフにすることを特徴とする受信機。
【請求項２】
電子番組表を表示する表示手段と、前記表示手段により表示された電子番組表上で指定カーソルを時間軸方向に移動させることにより任意の時刻を指定する時刻指定手段と、前記時刻指定手段により指定された任意の時刻を、オフタイマ設定時刻として登録するオフタイマ設定手段とを備え、該オフタイマ設定時刻の登録時における電源オン状態を、前記オフタイマ設定時刻まで保持し、前記オフタイマ設定時刻に達した時点で当該受信機の電源をオフにすることを特徴とする受信機。
【請求項３】
請求項１又は２に記載の受信機において、前記オフタイマ設定時刻以降の時刻にある前記電子番組表の表示範囲を、前記オフタイマ設定時刻よりも前の時刻にある前記電子番組表の表示範囲と異なる色調で表示することを特徴とする受信機。
【請求項４】
請求項３に記載の受信機において、前記オフタイマ設定時刻以降の時刻にある前記電子番組表の表示範囲を暗い色調で表示することを特徴とする受信機。
【請求項５】
請求項１乃至４のいずれかに記載の受信機において、前記オフタイマ設定時刻以降の時刻の範囲に電源オフの状態を示すアイコンを表示し、前記オフタイマ設定時刻よりも前の時刻の範囲に電源オンの状態を示すアイコンを表示することを特徴とする受信機。
【請求項６】
請求項１乃至５に記載の受信機において、当該受信機とＩＥＥＥ１３９４インタフェースバスを介して接続されている１乃至複数の他の受信機及び／又は電子機器が存在している場合、前記オフタイマ設定時刻に達した時点で、前記ＩＥＥＥ１３９４インタフェースバスを介して、前記他の受信機及び／又は電子機器に対して、電源のオン／オフ制御を行なう旨の電源制御信号を送出することができることを特徴とする受信機。
【請求項７】
請求項６に記載の受信機において、前記オフタイマ設定時刻に達した時点で、当該受信機を含め、前記ＩＥＥＥ１３９４インタフェースバスを介して相互に接続されている１乃至複数の他の受信機及び／又は電子機器のうち、電源をオフとする受信機及び／又は電子機器を選択して指定することができることを特徴とする受信機。
【請求項８】
請求項１乃至７のいずれかに記載の受信機を内蔵していることを特徴とする電子機器。
【請求項９】
電子番組表を表示する工程と、前記表示された電子番組表上で所望の番組を指定する工程と、前記指定された番組の終了時刻を、オフタイマ設定時刻として登録する工程とを有し、該オフタイマ設定時刻の登録時における電源オン状態を、前記オフタイマ設定時刻まで保持し、前記オフタイマ設定時刻に達した時点で当該受信機の電源をオフにすることを特徴とする電源制御方法。
【請求項１０】
電子番組表を表示する工程と、前記表示された電子番組表上で指定カーソルを時間軸方向に移動させることにより任意の時刻を指定する工程と、前記指定された任意の時刻を、オフタイマ設定時刻として登録する工程とを有し、該オフタイマ設定時刻の登録時における電源オン状態を、前記オフタイマ設定時刻まで保持し、前記オフタイマ設定時刻に達した時点で当該受信機の電源をオフにすることを特徴とする電源制御方法。
【発明の詳細な説明】
【０００１】
【発明の属する技術分野】
本発明は、受信機及び該受信機を備えた電子機器に関し、特に、テレビジョン放送を受信するチューナ、あるいは、該チューナを内蔵したテレビジョン受信機やビデオレコーダのごとき放送受信装置において、テレビジョン放送番組情報を画面上に表示する電子番組表（ＥＰＧ：Ｅｌｅｃｔｒｏｎｉｃ  ＰｒｏｇｒａｍＧｕｉｄｅ）を用いて、電源オフとする時刻であるオフタイマ設定時刻を直感的に設定する手段を提供することに関する。
【０００２】
【従来の技術】
近年のデジタル方式のテレビジョン放送においては、チャンネル数の飛躍的な増大に伴い、放送局からは、番組と共に番組情報を送信することとし、受信機側で該番組情報を抽出して、テレビ画面上に画面表示し、利用者が、リモコン（リモートコントロール端末）などの機器を操作することによって、テレビ画面上に表示されている該番組情報から対話的に選局・予約動作等を行なうことが可能な電子番組表（ＥＰＧ）が実用化されている。
【０００３】
一方、テレビジョン受信機においては、就寝時や離席時における無駄な電力消費を防止するために、一定時間経過後に、自動的に電源を切断することを指定することができる、いわゆる、オフタイマ機能が広く提供されている。
【０００４】
従来、電子番組表におけるタイマ機能としては、利用者がリモコンなどの操作により選択指定した番組の開始時刻に至ると、自動的に電源が入り、番組の選局処理が実行されて画面表示される視聴予約、あるいは、ビデオレコーダと連動して、選局処理された番組の録画が実行される録画予約がなされるものが提案されて実用化されてきているが、逆に、電源を切断することに注目して、前記オフタイマ機能と連携を図ったものは存在していなかった。
【０００５】
たとえば、特開平１１−２６６４１１号公報「番組録画方法と番組録画装置」において開示されている発明においては、電子番組表と連動した予約録画動作が行なわれ、予約録画された番組が終了した際には受信機の電源が自動的に切断される番組録画装置を提供せんとしているものであるが、あくまでも録画番組に基づくものであり、録画番組の終了予定時刻に基づいて電源を切断させることを指示することに主眼がある。即ち、現在の放送番組もしくは今度放送予定の番組の録画予約とは切り離して、受信機の電源オン／オフ制御のみに着目したオフタイマ時刻の設定を可能とするものではない。
【０００６】
また、特開平５−２８４４７８号公報「文字放送受信機」において開示されている発明においても、前記特開平１１−２６６４１１号公報の場合と同様であり、テレビジョン放送の番組表に基づいて、番組の放送開始時刻と放送終了時刻とを解読することにより、放送番組の放送時間とリンクして、文字放送受信機の電源のオンタイマ・オフタイマのタイマ設定をせんとするものであり、放送番組とは切り離して、受信機の電源オン／オフ制御のみに着目したオフタイマ時刻の設定を可能とするものではない。
【０００７】
【発明が解決しようとする課題】
従来のテレビジョン受信機のオフタイマ機能においては、現在時刻から一定時間経過後、例えば、３０分経過後あるいは１時間経過後に、電源を切断させるように指定する時間指定方法が採用されていた。
【０００８】
一方、かかるオフタイマ機能を利用せんとする状況においては、前述のごとき現在時刻を起点とした経過時間を指定する形式の時間指定方法ではなく、電源が投入される電源オンタイムとは無関係に、現在視聴中の番組の放送が終了した際に、あるいは、今後に放送が予定されている番組の放送が終了した際に、というように、特定の番組の終了時刻に電源の切断時刻となるオフタイマ設定時刻を指定したいことも多い。
例えば、視聴者が、放送終了前に、床について視聴するような場合、視聴している番組が放送されている間は電源が入っていて欲しいが、視聴中に、眠ってしまう場合もあり、視聴したい番組の終了後は、人手を煩わすことなく、自動的に電源が切断されることが期待される。
【０００９】
あるいは、前述のごとく、番組の放送時間帯と連動して、電源オフとする時刻を指定したいとの明確な要求がなくても、電子番組表を画面表示させて、現在放送中の番組や今後放送予定の番組を概観しながら、かかる情報を参考にして、受信機の電源の切断予約時刻となるオフタイマ設定時刻を指定することが可能である方が、周囲の時間帯に関する情報が何もない状態でオフタイマ設定時刻を指定するよりも、直感的に、番組情報などに付随した各種の状況が把握でき、有用な設定が可能になる場合も多い。
本発明は、かかる状況に鑑みてなされたものであり、本発明の目的は、オフタイマ設定時刻の指定を画面表示された電子番組表を用いて対話的に行なうことを可能とすることにより、番組単位で放送終了後の電源オフ時刻を指定することを可能としたり、あるいは、番組の放送時間を確認しながら適切な時刻に電源をオフにできることを可能とする手段を提供せんとすることにある。
【００１０】
【課題を解決するための手段】
前述のごとき課題を解決するために、本発明に係る受信機及び電子機器は、以下のような技術手段を備えている。
【００１１】
第１の技術手段は、電子番組表を表示する表示手段と、前記表示手段により表示された電子番組表上で所望の番組を指定する番組指定手段と、前記番組指定手段により指定された番組の終了時刻を、オフタイマ設定時刻として登録するオフタイマ設定手段とを備え、該オフタイマ設定時刻の登録時における電源オン状態を、前記オフタイマ設定時刻まで保持し、前記オフタイマ設定時刻に達した時点で当該受信機の電源をオフにする受信機とすることを特徴とするものである。
【００１２】
即ち、前記第１の技術手段においては、画面表示された電子番組表上でカーソルを移動させながら、所望のイベント（番組）をカーソル操作により選択指定すると共に、カーソル操作により選択指定された該イベント（番組）の時間軸下流側に位置する境界時刻となる該イベント（番組）の終了時刻にオフタイマ設定時刻を指定する機能を提供するものである。
而して、利用者は、リモコン操作によって画面表示されている電子番組表上のカーソルを操作して、番組を選択指定することにより、該番組の終了時刻にオフタイマ設定時刻が設定されることとなり、該番組の終了時刻に達した時点で、受信機の電源を自動的に切断させることを指定することが可能となる。
【００１３】
第２の技術手段は、電子番組表を表示する表示手段と、前記表示手段により表示された電子番組表上で指定カーソルを時間軸方向に移動させることにより任意の時刻を指定する時刻指定手段と、前記時刻指定手段により指定された任意の時刻を、オフタイマ設定時刻として登録するオフタイマ設定手段とを備え、該オフタイマ設定時刻の登録時における電源オン状態を、前記オフタイマ設定時刻まで保持し、前記オフタイマ設定時刻に達した時点で当該受信機の電源をオフにする受信機とすることを特徴とするものである。
【００１４】
即ち、前記第２の技術手段においては、画面表示された電子番組表上に、電子番組表のイベント（番組）の選択指定を行なうカーソルとは無関係に、電源を切断する切断時刻を指示するための専用の切断指定カーソルを別途設けさせて、利用者のリモコン操作により、前記切断指定カーソルを、電子番組表の時間軸方向の任意の時刻位置まで移動させて、利用者が所望する切断時刻位置において、前記切断指定カーソルを選択指定することにより、受信機の電源の切断が実行されるオフタイマ設定時刻を、イベント（番組）の放送時間帯と関係することなく、独立に、指定することが可能である。
【００１５】
第３の技術手段は、前記第１又は第２の技術手段に記載の受信機において、前記オフタイマ設定時刻以降の時刻にある前記電子番組表の表示範囲を、前記オフタイマ設定時刻よりも前の時刻にある前記電子番組表の表示範囲と異なる色調で表示する受信機とすることを特徴とするものである。
【００１６】
第４の技術手段は、前記第３の技術手段に記載の受信機において、前記オフタイマ設定時刻以降の時刻にある前記電子番組表の表示範囲を暗い色調で表示する受信機とすることを特徴とするものである。
【００１７】
即ち、前記第３及び前記第４の技術手段においては、画面表示された電子番組表上で、電源がオンの状態にある時間帯と電源オフの状態にある時間帯とを視覚的に判りやすく提示するためものであり、電子番組表上の時間軸方向に、オフタイマ設定時刻を境にして、電源オン状態表示範囲にある電源がオンの状態のイベント（番組）側と、電源オフ状態表示範囲にある電源がオフの状態のイベント（番組）側とで、オフタイマ設定時刻の指定のためのカーソル操作中にあっても、表示される色調を変化させて、直観的に状態識別を可能にしている。
特に、前記第４の技術手段においては、電源オフ状態表示範囲のイベント（番組）側の色調を暗い色調とすることにより、電源がオフの状態にあることを直感的に認識することが可能となる。
【００１８】
第５の技術手段は、前記第１乃至第４の技術手段のいずれかに記載の受信機において、前記オフタイマ設定時刻以降の時刻の範囲に電源オフの状態を示すアイコンを表示し、前記オフタイマ設定時刻よりも前の時刻の範囲に電源オンの状態を示すアイコンを表示する受信機とすることを特徴とするものである。
【００１９】
即ち、前記第５の技術手段においては、画面表示された電子番組表上で、電源がオンの状態にある時間帯と電源オフの状態にある時間帯とを視覚的に判りやすく提示するためものであり、電子番組表上の時間軸方向に、オフタイマとして設定したオフタイマ設定時刻を境にして、電源オン状態表示範囲にある電源がオンの状態のイベント（番組）側と、電源オフ状態表示範囲にある電源がオフの状態のイベント（番組）側とで、それぞれ電源オン状態を意味する電源オンアイコンと、電源オフ状態を意味する電源オフアイコンとを表示させることとして、パターン図形を用いることにより、オフタイマ設定時刻の指定のためのカーソル操作にあっても、電源のオン／オフ状態にある時間帯の識別を容易にさせている。
【００２０】
第６の技術手段は、前記第１乃至第５の技術手段に記載の受信機において、当該受信機とＩＥＥＥ１３９４インタフェースバスを介して接続されている１乃至複数の他の受信機及び／又は電子機器が存在している場合、前記オフタイマ設定時刻に達した時点で、前記ＩＥＥＥ１３９４インタフェースバスを介して、前記他の受信機及び／又は電子機器に対して、電源のオン／オフ制御を行なう旨の電源制御信号を送出することができる受信機とすることを特徴とするものである。
【００２１】
第７の技術手段は、前記第６の技術手段に記載の受信機において、前記オフタイマ設定時刻に達した時点で、当該受信機を含め、前記ＩＥＥＥ１３９４インタフェースバスを介して相互に接続されている１乃至複数の他の受信機及び／又は電子機器のうち、電源をオフとする受信機及び／又は電子機器を選択して指定することができる受信機とすることを特徴とするものである。
【００２２】
即ち、前記第６及び第７の技術手段においては、当該受信機とＩＥＥＥ１３９４準拠のインタフェースバスを介して接続されている１乃至複数の他の受信機及び／又は電子機器が存在している場合、利用者のリモコン操作によって、オフタイマ設定時刻に達した当該受信機本体の電源をオフとする選択を可能とすると同時に、ＩＥＥＥ１３９４準拠のインタフェースバスにより相互に接続されている他の受信機及び／又は電子機器の電源も同時にオフにするための指示を与えることも可能である。
特に、前記第７の技術手段においては、利用者のリモコン操作によって、オフタイマ設定時刻に達した時点で、電源をオフにする受信機及び／又は電子機器を選択することが可能であり、当該受信機を含め、任意の受信機及び／又は電子機器の電源をオン／オフ制御することが可能となる。
【００２３】
第８の技術手段は、前記第１乃至第７の技術手段のいずれかに記載の受信機を内蔵している電子機器とすることを特徴とするものである。
第９の技術手段は、電子番組表を表示する工程と、前記表示された電子番組表上で所望の番組を指定する工程と、前記指定された番組の終了時刻を、オフタイマ設定時刻として登録する工程とを有し、該オフタイマ設定時刻の登録時における電源オン状態を、前記オフタイマ設定時刻まで保持し、前記オフタイマ設定時刻に達した時点で当該受信機の電源をオフにする電源制御方法とすることを特徴とするものである。
第１０の技術手段は、電子番組表を表示する工程と、前記表示された電子番組表上で指定カーソルを時間軸方向に移動させることにより任意の時刻を指定する工程と、前記指定された任意の時刻を、オフタイマ設定時刻として登録する工程とを有し、該オフタイマ設定時刻の登録時における電源オン状態を、前記オフタイマ設定時刻まで保持し、前記オフタイマ設定時刻に達した時点で当該受信機の電源をオフにする電源制御方法とすることを特徴とするものである。
【００２４】
【発明の実施の形態】
次に、本発明に係る受信機及び電子機器の一実施形態について、図面を参照しながら説明する。
まず、本発明に係るオフタイマ設定時刻の指定機能を有する電子番組表について、図５を用いて説明する。
ここに、図５は、本発明に係る受信機及び電子機器の一例としてデジタルテレビジョン受信機に本発明に係る電子番組表を搭載した実施例を示す回路ブロック図である。
【００２５】
まず、図５に示す回路ブロック図を参照しながら、該デジタルテレビジョン受信機の動作について説明する。
アンテナ１から受信されたトランスポートストリームＴＳは、チューナ２によって選局がなされた後、デマルチプレクサＤＥＭＵＸ３に送出される。
【００２６】
デマルチプレクサＤＥＭＵＸ３において、受信されたトランスポートストリームＴＳの中から、電子番組表ＥＰＧ作成に必要な番組情報に関するデータが抽出される。抽出された番組情報に関するデータに基づいて、記憶メモリＤＲＡＭ５上に、各サービス（放送局）軸と時間軸とからなるマトリクスの位置に対応する各サービス（放送局）毎に対応する時間帯に放送される番組が登録されたＥＰＧデータが生成される。即ち、サービス（放送局）軸と時間軸とのマトリックス上に、各サービス（放送局）毎に対応する時間帯座標位置に、放送される時間帯にある番組情報を配置した電子番組表ＥＰＧデータが生成される。
【００２７】
利用者が、電子番組表ＥＰＧを表示させるための指定手段であるリモコン６に設けられているＥＰＧボタン６ａを操作した場合、かかる操作が、受光部１４を介して、制御装置ＣＰＵ７にて検知されると、記憶メモリＤＲＡＭ５上に生成されていた電子番組表ＥＰＧデータに基づいて、ＣＰＵ７は、ビットマップデータを生成して、ＥＰＧ画像として、電子番組表ＥＰＧがビデオメモリＶＲＡＭ８に書き込まれる。
【００２８】
而して、表示手段を実現するＯＳＤ（Ｏｎ  Ｓｃｒｅｅｎ  Ｄｉｓｐｌａｙ）表示装置９が駆動されて、ＯＳＤ表示装置９において、ＶＲＡＭ８に書き込まれたＥＰＧ画像が、デマルチプレクサＤＥＭＵＸ３からＭＰＥＧデコーダ４を介して復号化された番組（放送画像）に重畳されて、合成画像が生成され、モニタ１０の画面上に電子番組表ＥＰＧとして表示される。
【００２９】
また、該デジタルテレビジョン受信機は、ＣＰＵ７に接続されている時間計測装置１１と電源制御装置１２とを有しており、ＣＰＵ７は、時間計測装置１１から現在時刻を取得して、利用者のリモコン６操作によりあらかじめ指定されて設定されている電源制御時刻（即ち、オンタイマ設定時刻／オフタイマ設定時刻）と比較させることにより、電源制御装置１２をコントロールして、あらかじめ指定されて設定されている電源制御時刻において、当該デジタルテレビジョン受信機自らの電源をオン／オフさせることができる。
【００３０】
また、該デジタルテレビジョン受信機は、ＣＰＵ７とデマルチプレクサＤＥＭＵＸ３とに接続されたＩＥＥＥ１３９４インタフェースバス１３を介して、１乃至複数の他の受信機及び／又は電子機器（ＡＶ機器）１５を制御することが可能であり、該ＩＥＥＥ１３９４インタフェースバス１３上にある他の受信機及び／又は電気機器（ＡＶ機器）１５に対して、電源のオン／オフ制御を行なう旨の電源制御信号を送出することにより、他の受信機及び／又は電気機器（ＡＶ機器）１５の電源制御装置をコントロールすることが可能であり、指定した時刻で、他の受信機及び／又は電気機器（ＡＶ機器）１５の電源をオン／オフさせることができる。
また、利用者が、リモコン操作６により、あらかじめ前記電源制御信号の送出先を選択指定しておくことも可能であり、１乃至複数の他の受信機及び／又は電気機器（ＡＶ機器）１５のうち、選択指定された他の受信機及び／又は電気機器（ＡＶ機器）１５の電源のみを制御させることが可能である。
更には、電源制御時刻（即ち、オンタイマ設定時刻／オフタイマ設定時刻）自身を、当該デジタルテレビジョン受信機の電源制御に用いるか否かも、利用者のリモコン６操作により、指定するようにしても良い。
【００３１】
次に、図５に示すごとき構成の受信機及び電子機器の一例であるデジタルテレビジョン受信機において、画面表示された電子番組表に基づいて、電源の切断予約時刻を設定するオフタイマ設定動作について、図１乃至図４を用いて説明する。
ここに、図１は、本発明に係る受信機及び電子機器におけるオフタイマ設定動作の第１の実施例を説明するための電子番組表の画面表示例であり、画面表示された電子番組表上で選択指定したイベント（番組）の終了時刻をオフタイマ設定時刻として設定する場合の動作を説明しているものである。
【００３２】
図２は、本発明に係る受信機及び電子機器におけるオフタイマ設定動作の第２の実施例を説明するための電子番組表の画面表示例であり、画面表示された電子番組表の時間軸方向の任意の時刻をオフタイマ設定時刻として設定する場合の動作を説明しているものである。
【００３３】
図３は、本発明に係る受信機及び電子機器におけるオフタイマ設定動作の第３の実施例を説明するための電子番組表の画面表示例であり、オフタイマ設定時刻の前後における画面の色調を変化させる例を説明しているものである。
【００３４】
図４は、本発明に係る受信機及び電子機器におけるオフタイマ設定動作の第４の実施例を説明するための電子番組表の画面表示例であり、オフタイマ設定時刻の前後において、電源のオン／オフ状態を識別し易くするアイコンを表示させる例を説明しているものである。
【００３５】
ここに、図１乃至図４に示す電子番組表の画面表示例においては、前述したように、図５に示すデジタルテレビジョン受信機のブロック構成図において、モニタ１０の画面上に表示されるＥＰＧ画像（即ち、電子番組表）に対して、リモコン６による指示を与えることにより、該指示を、受光部１４を介して受信したＣＰＵ７において、該指示に応じたＥＰＧ画像（即ち、電子番組表）に対する処理がなされた結果が、再度モニタ１０の画面上に表示されることとなる。
而して、利用者が、ＥＰＧ画像（即ち、電子番組表）を介して、デジタルテレビジョン受信機に対して、電源のオン／オフ制御に関する指示を対話的に与えることが実現されている。
【００３６】
即ち、一般に、電子番組表においては、画面上で番組情報を閲覧したり、対象とする番組を選択指定したり、あるいは、選択指定した番組の予約を行なったりするために、画面表示されている電子番組表のサービス軸（放送局軸）と時間軸との双方の方向に、カーソルを上下左右に移動させることができるリモコン６を、電子番組指定手段として、用いている。かかるリモコン６の操作により、電子番組表が表示されている画面上の任意の位置にカーソルを移動させて、所望の番組の表示位置にカーソルを設定して選択指定を実行させることができる。
【００３７】
表示中の一画面上に、目的とする番組が、表示されていない場合であっても、リモコン６の操作により、かかるカーソルを用いて画面をスクロールさせることによって、所望の番組を含む電子番組表を画面上に表示させることが可能であり、画面上に表示された所望の番組を、カーソルで選択指定することも可能である。
したがって、受信機が保有している任意の番組情報を、電子番組表として画面表示させることにより、利用者が、対話的に、簡便に所望の番組を選択指定して閲覧することができる。本発明においては、かかる対話的機能を有する電子番組表を利用することにより、受信機の電源制御を実施するオフタイマ設定機能を、直感的に判り易く、かつ、簡便な操作で実現させることが可能としている。
【００３８】
本発明に係る受信機及び電子機器の第１の実施例においては、リモコン６がオフタイマボタン６ｂを備えており、電子番組表（即ち、ＥＰＧ画像）が表示中に、オフタイマボタン６ｂが押下されると、表示されている電子番組表は、「オフタイマ設定モード」に移行し、再度、オフタイマボタン６ｂが押下されると、通常の「ＥＰＧ閲覧モード」に復帰する。
【００３９】
「オフタイマ設定モード」においては、図１に示すように、利用者が、リモコン６を操作することにより、画面表示されている電子番組表（即ち、ＥＰＧ画像）上でカーソルをサービス（放送局）軸及び時間軸方向を上下左右に移動させて、当該受信機及び電子機器の電源をオフにするためのイベント（番組）の終了時刻を指定するオフタイマ設定時刻の設定や解除を行なうことができる。
図１においては、サービス（放送局）軸方向の上から３段目のハッチングが施されたイベント（番組）ｌにカーソル位置がある状態を示すものであり、該イベント（番組）ｌの終了時刻に、オフタイマ設定時刻が設定される様子を示している。
【００４０】
ここで、該カーソルは、通常の「ＥＰＧ閲覧モード」において、閲覧又は予約する番組を指定するカーソルと同様に、「オフタイマ設定モード」においても、イベント（番組）単位で、上下左右に移動して、任意のイベント（番組）の上にカーソルを移動することができるものであり、リモコン６上に備えられている「決定」「設定」などのキーを操作することにより、利用者が意図して決定したイベント（番組）を選択指定する動作を実行させて、意図したイベント（番組）の終了時刻にオフタイマ時刻を設定させることができる。
即ち、該カーソルは、「ＥＰＧ閲覧モード」においては、番組指定手段を提供するものであるが、「オフタイマ設定モード」においては、オフタイマ設定手段を提供するものである。
【００４１】
かかる第１の実施例においては、通常の一般的なＥＰＧ操作において、サービス（放送局）／番組時刻間をカーソル移動させる場合と同様のカーソル移動により、「オフタイマ設定モード」において、イベント（番組）を指定し、イベント（番組）単位に、該イベント（番組）の終了時刻にオフタイマ設定時刻を指定させることが可能であり、簡便な指定が可能な操作系とすることを可能としている。
即ち、オフタイマ設定時刻として指定された番組の終了時刻に到達した際に、自動的に電源が切断される動作がなされるものであり、例えば、就寝間際に、視聴している番組の放送が終了した時点で、自動的に、受信機の電源をオフとすることが可能である。
【００４２】
本発明に係る受信機及び電子機器の第２の実施例においては、図２に示すように、電子番組表（即ち、ＥＰＧ画像）が表示中に、オフタイマボタン６ｂが押下されると、電子番組表は、「オフタイマ設定モード」に移行すると共に、電子番組表の画面上に、通常の一般的なＥＰＧ操作において、サービス（放送局）／番組時刻間を移動させる番組指定用のカーソルとは別個、かつ、独立に時間軸方向にのみ移動させることができる、もう一つ別の専用のカーソル（即ち、切断指定カーソル）が表示される。
また、オフタイマボタン６ｂが押下されると、電子番組表は、「オフタイマ設定モード」に移行するが、再度、オフタイマボタン６ｂが押下されると、第１の実施例と同様に、通常の「ＥＰＧ閲覧モード」に復帰する。
【００４３】
即ち、本実施例においては、第１の実施例とは異なり、電子番組表の画面上の時間軸方向にのみ自由に移動することが可能な切断指定カーソルが、通常の番組指定用のカーソルとは別個に、表示されることにより、番組の終了時刻とは独立に、任意の時刻において、当該受信機及び電子機器の電源をオフにするオフタイマ設定時刻を指定したり解除したりすることが可能となっている。
図２においては、サービス（放送局）軸方向の上から２段目に切断指定カーソルがあり、電子番組表の時間軸方向に、イベント（番組）ｈの時間帯の途中である時刻ｔ0の時刻位置に、該切断指定カーソルがある状態を示すものであり、該イベント（番組）ｈの開始時刻や終了時刻とは関係なく、該切断指定カーソルの時間軸方向の時刻位置ｔ0にオフタイマ設定時刻が設定される様子を示している。
【００４４】
ここで、番組指定用のカーソルは、「ＥＰＧ閲覧モード」「オフタイマ設定モード」のいずれにおいても、番組指定手段のみを提供するものであるが、切断指定カーソルは「オフタイマ設定モード」においてのみ表示されるものであり、任意の時刻指定を可能とするオフタイマ設定手段を提供するものである。
なお、該切断指定カーソルは、例えば、分単位で、電子番組表の時間軸上を移動させることができ、分単位の任意の時刻にオフタイマ設定時刻を指定させることができる。
【００４５】
即ち、番組の放送時間帯とは無関係に、前記切断指定カーソルにより選択され、オフタイマ設定時刻として指定された任意の時刻に到達した際に、自動的に電源が切断される動作がなされるものであり、例えば、オフタイマ設定時刻を就寝中の時刻に設定することとすれば、番組の放送が終了しているか否かに関係なく、自動的に、受信機の電源をオフとすることが可能である。
【００４６】
本発明に係る受信機及び電子機器の第３の実施例においては、第１及び第２の実施例と同様に、電子番組表（即ち、ＥＰＧ画像）が画面表示中に、オフタイマボタン６ｂが押下されると、表示されている電子番組表は、「オフタイマ設定モード」に移行し、再度、オフタイマボタン６ｂが押下されると、通常の「ＥＰＧ閲覧モード」に復帰する。
【００４７】
第３の実施例においては、図３に示すごとく、「オフタイマ設定モード」に移行している場合、利用者の操作結果を直感的に判り易くするために、時間軸方向において、オフタイマ設定時刻を指定するカーソルの前後で、画面表示の色調を変化させるものである。即ち、時間軸方向において、オフタイマ設定時刻となるカーソルの位置の前後で、画面表示の色調を変化させて、電源のオン／オフ状態を視覚的により鮮明にせんとするものである。
【００４８】
例えば、オフタイマ設定時刻よりも前の電源オン状態の時間帯（即ち、電源オン状態表示範囲）は、明るい色調の画面とし、一方、オフタイマ設定時刻以降の電源オフ状態の時間帯（即ち、電源オフ状態表示範囲）は、暗い色調の画面とすることとする。かかる画面表示として、電源オフ状態表示範囲のイベント（番組）側の色調を暗い色調とすることにより、電源がオフの状態にある時間範囲を直感的に認識することが可能となる。
【００４９】
図３においては、前述の実施例２に示す手段により、オフタイマ設定時刻ｔ0にカーソルが位置している例を示しており、電子番組表のオフタイマ設定時刻となる時間軸方向の時刻位置ｔ0から左側にあるイベント（番組）、即ち、番組ａ，ｂ，ｃの前半（即ち、左側），番組ｇ，ｈの前半（即ち、左側），番組ｊ，ｋ，ｌ，番組ｏ，ｐの前半（即ち、左側）の各イベント（番組）が、電源オン状態表示範囲にあるイベント（番組）であり、背景色が画面背景と同じ色（図３においては、紙と同じ白色）で表示されており、一方、オフタイマ設定時刻となる時間軸方向の時刻位置ｔ0から右側にあるイベント（番組）、即ち、番組ｃの後半（即ち、右側），ｄ，ｅ，ｆ，番組ｈの後半（即ち、右側），ｉ，番組ｍ，ｎ，番組ｐの後半（即ち、右側），ｑの各イベント（番組）が、電源オフ状態表示範囲にあるイベント（番組）であり、背景色が暗い色調の画面（図３においては、ハッチングが施された状態）で表示されている。
【００５０】
本発明に係る受信機及び電子機器の第４の実施例においては、第１乃至第３の実施例と同様に、電子番組表（即ち、ＥＰＧ画像）が表示中に、オフタイマボタン６ｂが押下されると、表示されている電子番組表は、「オフタイマ設定モード」に移行し、再度、オフタイマボタン６ｂが押下されると、通常の「ＥＰＧ閲覧モード」に復帰する。
【００５１】
第４の実施例においては、図４に示すごとく、図３の場合と同様に、「オフタイマ設定モード」に移行している場合、電子番組表の画面における利用者の操作結果を直感的に判り易くするために、時間軸方向において、オフタイマを設定するカーソルの前後で、画面表示を変更させるものである。即ち、図４においては、図３の場合の色調の変化とは異なり、オフタイマ設定時刻となるカーソルの位置を明示させるために、オフタイマ設定時刻よりも前の電源オン状態の時間帯（即ち、電源オン状態表示範囲）とオフタイマ設定時刻以降の電源オフ状態の時間帯（即ち、電源オフ状態表示範囲）とを識別可能とする境界線を追加表示させると共に、次の如きアイコン（図形パターン）も追加表示させるものである。
【００５２】
即ち、前記境界線表示の他に、更には、オフタイマ設定時刻となるカーソルの位置の前後で、それぞれ、電源オン状態を意味するアイコンと、電源オフ状態を意味するアイコンとを、それぞれ異なる形式の図形パターンを用いて、電子番組表上に追加表示させる。而して、電源オン／オフ状態の時間帯に対応して、それぞれ異なる図形パターンからなるアイコンを追加表示させることにより、オフタイマ設定時刻となるカーソル位置の前後の表示画面に変化を与えて、図３の場合と同様に、利用者に視覚的なフィードバックを行なうことが可能となり、操作の便を向上させることが可能である。
【００５３】
図４においては、電子番組表上にオフタイマ設定時刻ｔ0を示す境界線が追加表示されると同時に、図３と同様に、電子番組表のオフタイマ設定時刻となる時間軸方向の位置から左側にあるイベント（番組）、即ち、番組ａ，ｂ，ｃの前半（即ち、左側），番組ｇ，ｈの前半（即ち、左側），番組ｊ，ｋ，ｌ，番組ｏ，ｐの前半（即ち、左側）の各イベント（番組）が、電源オン状態表示範囲にあるイベント（番組）であり、背景色が画面背景と同じ色（図４においては、紙と同じ白色）で表示されており、一方、オフタイマ設定時刻となる時間軸方向の位置から右側にあるイベント（番組）、即ち、番組ｃの後半（即ち、右側），ｄ，ｅ，ｆ，番組ｈの後半（即ち、右側），ｉ，番組ｍ，ｎ，番組ｐの後半（即ち、右側），ｑの各イベント（番組）が、電源オフ状態表示範囲にあるイベント（番組）であり、背景色が暗い色調の画面（図４においては、ハッチングが施された状態）で表示されている。
更には、電子番組表の左上部に、電源オン状態表示範囲にあることを容易に視認することができる電源オンアイコンの図形パターンが表示され、一方、電子番組表の右上部には、電源オフ状態表示範囲にあることを容易に視認することができる電源オフアイコンの図形パターンが追加表示されている。
【００５４】
なお、図４においては、オフタイマ設定時刻ｔ0の前後において、図３の場合と同様に電子番組表の色調を変化させる例を示しているが、かかる色調変化の表示を行なうことなく、オフタイマ設定時刻ｔ0を示す境界線と、電源オン／オフアイコンとを表示させることとしても良い。
【００５５】
次に、前述した各実施例により設定されたオフタイマ設定時刻において、電源の切断が実施される動作について説明する。図５に示す時間計測装置１１から取得される現在時刻と、前述のオフタイマ設定時刻とが、ＣＰＵ７において比較されて、現在、設定されたオフタイマ設定時刻に至っていると判定された場合、図５に示す電源制御装置１２をコントロールして、当該受信機や当該電子機器自身の電源をオフとすることが実現される。
【００５６】
更には、ＩＥＥＥ１３９４インタフェースバス１３によって接続されている他の受信機及び／又は電子機器（ＡＶ機器）１５に対しても、当該オフタイマ設定時刻において電源のオン／オフ制御を行なう旨のコマンド（電源制御信号）が発行され、他の受信機及び／又は電子機器（ＡＶ機器）１５の電源をオン／オフ制御することも可能である。
【００５７】
また、該オフタイマ設定時刻において、当該受信機や当該電子機器自身の電源のみをオフとするか、あるいは、ＩＥＥＥ１３９４インタフェースバス１３によって接続されている１乃至複数の他の受信機及び／又は電子機器（ＡＶ機器）１５も含めて電源をオフにさせるか、更には、１乃至複数の他の受信機及び／又は電子機器（ＡＶ機器）のうち、あらかじめ、利用者のリモコン６操作により選択指定されている他の受信機及び／又は電子機器（ＡＶ機器）のみの電源をオフにさせるか、についても、利用者のリモコン６操作により、任意に選択指定することが可能である。
【００５８】
更には、前述した実施例においては、該オフタイマ設定時刻においては、当該受信機や当該電子機器自身の電源をオフとする動作について説明してきたが、かかる場合に限定されるものではない。即ち、該オフタイマ設定時刻において、当該受信機や当該電子機器自身の電源をオフにするか、あるいは、当該受信機や当該電子機器自身を電源制御することはせずに、ＩＥＥＥ１３９４インタフェースバス１３によって接続されている１乃至複数の他の受信機及び／又は電子機器（ＡＶ機器）１５の電源のみを制御するかについても、利用者のリモコン６操作で選択指定することが可能である。
【００５９】
また、前述したごとく、本発明は、放送される番組情報を受信することが可能な電子機器であれば、如何なる電子機器（例えば、ビデオテープレコーダやＤＶＤ装置やＣＤプレーヤなど）に対しても適用することが可能である。
【００６０】
【発明の効果】
本発明に係る受信機及び電子機器によれば、受信機及び／又は電子機器の電源のみならず、当該受信機及び／又は電子機器とＩＥＥＥ１３９４インタフェースバスを介して相互接続されている１乃至複数の他の受信機及び／又は電子機器の各電源に関して、利用者が指定した任意の時刻（即ち、オフタイマ設定時刻）において指定した電源を切断させるオフタイマ動作を実行させるためのオフタイマ設定時刻の指定手段を格段に容易化させて、提供することが可能である。
【００６１】
即ち、オフタイマ設定時刻を指定するに際し、画面表示させた電子番組表を利用することにより、番組の選択指定の場合と同様に、選択指定した番組の終了時刻をオフタイマ設定時刻として対話的に登録させることが可能である。而して、当該番組の終了時刻に達した際に、自動的に電源をオフとすることが可能である。
【００６２】
更に、画面表示させた電子番組表を参照しながら、番組の放送時間帯とは無関係に、該電子番組表の時間軸方向に任意の時刻を選択指定して、オフタイマ設定時刻を対話的に登録することも可能である。
【００６３】
即ち、電子番組表を利用することにより、対話的、かつ、直感的に、かつ、判りやすい方法で、オフタイマ設定時刻を登録することが可能である。
【００６４】
更には、電子番組表上でオフタイマ設定時刻の登録動作をするに際し、電子番組表の時間軸方向における、オフタイマ設定時刻の前後で、画面表示を変化させることにより、電源オン状態にある番組の時間帯と電源オフ状態となる番組の時間帯との時間関係を容易に視認することができ、操作性を向上させることができる。
【００６５】
また、オフタイマ設定時刻の登録を行なった受信機及び／又は電子機器の電源制御のみに限らず、該受信機及び／又は電子機器とＩＥＥＥ１３９４インタフェースバスで相互接続されている１乃至複数の他の受信機及び／又は電子機器の電源制御も、任意に選択指定して実施させることが可能であり、利用者の利便性を更に向上させることができる。
【図面の簡単な説明】
【図１】本発明に係る受信機及び電子機器におけるオフタイマ設定動作の第１の実施例を説明するための電子番組表の画面表示例である。
【図２】本発明に係る受信機及び電子機器におけるオフタイマ設定動作の第２の実施例を説明するための電子番組表の画面表示例である。
【図３】本発明に係る受信機及び電子機器におけるオフタイマ設定動作の第３の実施例を説明するための電子番組表の画面表示例である。
【図４】本発明に係る受信機及び電子機器におけるオフタイマ設定動作の第４の実施例を説明するための電子番組表の画面表示例である。
【図５】本発明に係る受信機及び電子機器の一例としてデジタルテレビジョン受信機に本発明に係る電子番組表を搭載した実施例を示す回路ブロック図である。
【符号の説明】
１…アンテナ、２…チューナ、３…デマルチプレクサＤＥＭＵＸ、４…ＭＰＥＧデコーダ、５…記憶メモリＤＲＡＭ、６…リモコン、６ａ…ＥＰＧボタン、６ｂ…オフタイマボタン、７…制御装置ＣＰＵ、８…ビデオメモリＶＲＡＭ、９…ＯＳＤ（Ｏｎ  Ｓｃｒｅｅｎ  Ｄｉｓｐｌａｙ）表示装置、１０…モニタ、１１…時間計測装置、１２…電源制御装置、１３…ＩＥＥＥ１３９４インタフェースバス、１４…受光部、１５…他の受信機及び／又は電気機器（ＡＶ機器）。
【図１】
0003786848.tif 000002
【図２】
0003786848.tif 000003
【図３】
0003786848.tif 000004
【図４】
0003786848.tif 000005
【図５】
0003786848.tif 000006